(57)【要約】【課題】  ネットが案内フレームから抜けることがなく、常に円滑に開閉動作をなしうる網戸における開閉ネットのスライド保持装置を提供する。【解決手段】  両案内フレームについて、両側内面に突条ブラシよりも奥行き位置から傾斜突条片を押出成形により一体に突設してあって、両傾斜突条片が奥行き向き傾斜においてＶ字対応であるとともに、その先端間にネットのスライド端縁部が中央部位置において差し込まれる間隔を設けてあることを特徴とする。【選択図】    図１
2005207134.tif 000002
【特許請求の範囲】
【請求項１】
矩形の枠組みの一がネットをばねの弾力で巻き取り入れる収納フレームであって、それと対向する止着フレームに合わせ止められる可動桟がネットの先端に取り付けられ、収納フレームと止着フレームとの間の両案内フレームがチャンネル形であって、その開口両内面にネットのスライド端縁部を挟む突条ブラシが少なくともその一方を奥行き方向へ傾斜させて突設してある網戸において、両案内フレームについて、両側内面に突条ブラシよりも奥行き位置から傾斜突条片を押出成形により一体に突設してあって、両傾斜突条片が奥行き向き傾斜においてＶ字対応であるとともに、その先端間にネットのスライド端縁部が中央部位置において差し込まれる間隔を設けてあることを特徴とする網戸における開閉ネットのスライド保持装置。
【請求項２】
両突条ブラシが両方とも奥行き方向に傾斜し、両突条ブラシの先端の間に段差が設けられていることを特徴とする請求項１記載の網戸における開閉ネットのスライド保持装置。
【発明の詳細な説明】
【技術分野】
【０００１】
この発明は、アルミ等の押出形材により枠組みされ、一端にネットを巻き取る収納フレームを有する防虫用の網戸における開閉ネットのスライド保持装置に関する。なお、この明細書では、建物に嵌め殺しとなっている網枠を含むものとする。
【背景技術】
【０００２】
網戸は一般的にネットが固定して張られているが、ネットのみをスライドさせて開閉する機能を備えた網戸が用いられることも多い。このような網戸では、ネットを囲む枠組みの一フレームがネットを巻き取る軸とその軸を巻き取り方向に回転するよう付勢するコイルばねとが内装された収納フレームであって、その両端に接続する一対のチャンネル形フレームがネットのガイドとなっており、ネットの先端にはその一対のフレームと両端で係合する可動桟が取り付けられ、収納フレームと対向するフレームに可動桟を止着する磁石等の固定手段が設けられていた。
【０００３】
そこで、ネットを閉じるときには、コイルばねの弾力に抗してネットを軸から巻き戻すことにより、収納フレームから引き出して先端の可動桟を止着し、開くときにはその止着を解いてコイルばねの弾力に任せると、収納フレームの中の軸にネットが巻き取られる。この開閉の際に、ネットが両側スライド端縁部でフレームの案内溝と係合している必要があるが、柔軟性があるために、案内溝から外れ、外れないまでも弛みが生じることがあった。
【０００４】
これを防止するために、従来（図  参照）、両側の案内フレーム３０，３０には、案内溝の中にネットＮを挟む突条ブラシ３９ａ，３９ｂを奥内方に向かって傾斜させるとともに先端に段差Ｄが生じるように突設し、こうして両突条ブラシによりネットの縁部を逆止めに挟むことによって、開閉ネットのスライド保持装置を構成する提案がなされる。しかし、これによってもネットの外れや弛み防止が確実とならないだけでなく、ネットが開閉中に引っ掛かりが生じ円滑な開閉動作が得られなくなることもあった。
【０００５】
両突条ブラシ３９ａ，３９ｂの先端の間に段差Ｄを設けるのは、スライドしやすくネットＮを窮屈に挟まないようにするとともに、下の突条ブラシ３９ａの先端にネットＮが抜ける力で引っかかると、その突条ブラシ３９ａが持ち上がって他方の突条ブラシ９ｂとの間が窮屈となり引っ掛かりが確実となることが期待されたためである。しかし、実際には、下の突条ブラシ３９ａの傾斜方向にネットＮのスライド端縁部４０が曲がるために、それとの引っ掛かりが生じがたく期待通りにはネットの外れや弛みを防止することはできなかった。しかも、スライド端縁部４０が曲がって案内フレーム３２の内面に引っかかる不都合もあった。
【０００６】
さらに、ネットのスライド端縁部４０が図示の如く丸まって過度に納まることにより、他方の案内フレームからネットが抜けることになる。そして、このようになる発生原因については、案内フレームに何らかの理由により曲がりや捩れ等の歪みが生じていることが多かった。また、この歪みが突条ブラシに及んでいるため、このことによってもブラシにネットが引っ掛かりやすかった。
【０００７】
【特許文献１】特表平１１−５０４４０２号
【特許文献２】特開２００１−２４８３７０号
【特許文献３】国際公開０３／０４８４９９  Ａ２
【特許文献４】国際公開０３／０４８４９９  Ａ２
【発明の開示】
【発明が解決しようとする課題】
【０００８】
この発明は、上記のような実情に鑑みて、ネットが案内フレームから抜けることがなく、常に円滑に開閉動作をなしうる網戸における開閉ネットのスライド保持装置を提供することを目的とした。
【課題を解決するための手段】
【０００９】
上記の目的を達成するために、この発明は、矩形の枠組みの一がネットをばねの弾力で巻き取り入れる収納フレームであって、それと対向する止着フレームに合わせ止められる可動桟がネットの先端に取り付けられ、収納フレームと止着フレームとの間の両案内フレームがチャンネル形であって、その開口両内面にネットのスライド端縁部を挟む突条ブラシが少なくともその一方を奥行き方向へ傾斜させて突設してある網戸において、両案内フレームについて、両側内面に突条ブラシよりも奥行き位置から傾斜突条片を押出成形により一体に突設してあって、両傾斜突条片が奥行き向き傾斜においてＶ字対応であるとともに、その先端間にネットのスライド端縁部が中央部位置において差し込まれる間隔を設けてあることを特徴とする網戸における開閉ネットのスライド保持装置を提供する。
【００１０】
また、両突条ブラシが両方とも奥行き方向に傾斜し、両突条ブラシの先端の間に段差が設けられている。
【００１１】
網戸における開閉ネットのスライド保持装置を上記のように構成したから、可動桟を操作するネットの開閉とともにその両スライド端縁部が案内フレームにおいて両突条ブラシの先端で挟まれながら摺動するものであるが、案内フレームの内奥に突設されている一対の傾斜突条片の間の間隔にネットのスライド端縁部が納まることにより位置が中央部に保持されているため、ネットに抜ける力が加わっても、突条ブラシの先端との引っ掛かりが確実となり、ネットの安定した張りが保持される。特に、両突条ブラシの先端の間に段差を設けたとき（請求項２）、さらに抜け防止効果が高くなる。また、リブ形状からネットが円滑にスライドするように案内フレームの歪みも防止される。
【発明の効果】
【００１２】
以上説明したように、この発明によれば、両突条ブラシによりネットのスライド端縁部を挟むようにした網戸において、一対の傾斜突条片によりネットのスライド端縁部が案内フレームの幅中央部に保持されることにより、ネットに抜ける力が加わっても突条ブラシとの引っ掛かりが確実に保持されるため、ネットの抜けが防止されるとともに安定した張りが常時保持され、また、傾斜突条片がリブとなり案内フレームの歪みが防止されるため、これによってもネットの張りの安定性が得られ、常に円滑にネットを開閉することができるという優れた効果がある。
【発明を実施するための最良の形態】
【００１３】
次に、この発明の実施の形態を図面に基づいて説明する。
【００１４】
図１および図２は、一実施の形態を示したもので、その網戸（または網枠）Ｓは、アルミ押出形材により枠組みされ、一端がネットＮの収納フレーム１、上下が案内フレーム２，２、他端が止着フレーム３となっており、ネットＮの先端には、可動桟５が取り付けられ、その両端に案内フレーム２，２と係合するプラスチック製のスライド片７，７が取り付けられる。そして、案内フレーム２，２には、左右一対の突条ブラシ９ａ，９ｂが内装される他、それよりも奥において傾斜突条片１１，１１が一体に形成される。
【００１５】
案内フレーム２，２は、アルミ押出形材としての形状では内側に開口するコ字断面のチャンネル形であって、開口両縁内面に蟻溝１３ａ，１３ｂを突設し、蟻溝１３ａ，１３ｂよりも奥の両内面から前記の傾斜突条片１１，１１を奥に向かって互いに拝み方向に傾斜して突設し、両傾斜突条片１１，１１の先端間に間隔１５が設けられる。この両傾斜突条片１１，１１のＶ字傾斜により、その間の間隔１５にネットＮの端を差し込みやすく、また、幾分ネットＮの外れの抵抗となる。また、ネットＮのスライド端縁部１０が中央に保持されるために、突条ブラシ９ａ，９ｂと抜けないように引っ掛かりが保持される。
【００１６】
突条ブラシ９ａ，９ｂは、ブラシ毛が配列編みされる基部でプラスチックの帯状ベース１７，１７に取り付けたもので、帯状ベース１７，１７が蟻溝１３ａ，１３ｂに挿入して嵌着されることにより、突条ブラシ９ａ，９ｂが案内フレーム２，２に取り付けられる。
【００１７】
蟻溝１３ａ，１３ｂのうち、内側の蟻溝１３ａがやゝ奥深く低い位置に形成され、これにより内側の突条ブラシ９ａが低い位置であるために、両突条ブラシ９ａ，９ｂの先端の間に段差Ｄが付いており、そのため段差によってネットＮを弾力的に挟んでいる。そのため、ネットＮが移動する抵抗が少なく、しかも、ネットＮに抜けようとする力Ｐが働いたとすると、両方の突条ブラシ９ａ，９ｂでそれを阻止しやすい。この阻止能力をさらに高めるために、低い位置の突条ブラシ９ａを比較的短くして腰を強くしてある。
【００１８】
つまり、ネットＮに引き抜かれる力Ｐが働くと、ネットＮがその突条ブラシ９ａの先端に強く引っ掛かり、その突条ブラシ９ａが曲がって高い位置の突条ブラシ９ｂに突き当たって阻止されることによって、ネットＮの抜けが防止されることになる。この場合、低い位置の突条ブラシ９ａの先端に対するネットＮの引っ掛かりが、傾斜突条片１１，１１により端縁部１０が中央部に保持されることにより確実となる。
【００１９】
この点については、図４の従来の場合であると、先にも述べた通り、ネットＮのスライド端縁部４０が低い位置の突条ブラシ３９ａの傾斜方向に曲がっているために、その突条ブラシ３９ａとの引っ掛かりが確実に得られなかった。
【００２０】
可動桟５は、二つ合わせに形材５ａ，５ａを止め、その間にネットＮの端を挟んでそこに取り付けてあって、１９が止め合わせのビスである。両端のスライド片７，７については、これもそれぞれ形材５ａ，５ａに嵌着される端部片７ａ，７ａでネットＮの端を挟んでビス２１で止めてある。
【００２１】
なお、可動桟５には内側に取っ手２３が取り付けられ、取っ手２３を引いて可動桟５を止着フレーム３に合わせ止められるように、一方に磁石２５を他方に吸着片２７がそれぞれ取り付けられる。
【００２２】
図３は、他の実施形態を示したもので、案内フレーム２には、一対の傾斜突条片１１，１１が突設される案内フレーム２には、開口内面の有溝１３，１３を形成し、それに短い突条ブラシ９ａと長い突条ブラシ９ｂとが先端をほゞ同じ高さに揃えて設けてある。また、同図に示すように、二点鎖線で示すように、一方の突条ブラシ９ａを水平に突設することもある。
【図面の簡単な説明】
【００２３】
【図１】この発明の一実施の形態に係る網戸を示すとともに、一部を引き出して拡大断面として示す。
【図２】図１のＡ−Ａ線矢視の拡大断面図である。
【図３】他の実施の形態を示す図２に対応する断面図である。
【図４】従来例を示す案内フレームの断面図である。
【符号の説明】
【００２４】
Ｓ  網戸
Ｎ  ネット
Ｄ  段差
１  収納フレーム
２  案内フレーム
３  止着フレーム
５  可動桟
９ａ，９ｂ  突条ブラシ
１０  スライド端縁部
１１  傾斜突条片
１５  間隔
【図１】
2005207134.tif 000003
【図２】
2005207134.tif 000004
【図３】
2005207134.tif 000005
【図４】
2005207134.tif 000006